(57)【特許請求の範囲】
【請求項１】
飲料物を飲む際の飲み口部を備えた上蓋で缶胴を封止した飲料缶であって、
前記上蓋の外周側面から前記缶胴の外周側面の軸方向にかけた一連の凹部が少なくとも一以上形成されていることを特徴とした飲料缶。
【請求項２】
前記飲料缶には、前記缶胴を封止する前記上蓋と一対の下蓋をさらに備え、
前記一連の凹部は、前記下蓋の外周側面にかけても形成されていることを特徴とした請求項１に記載の飲料缶。
【請求項３】
少なくとも一の前記一連の凹部は、前記飲み口部に対峙する位置に形成されていることを特徴とした請求項１又は請求項２に記載の飲料缶。
【請求項４】
前記上蓋の外周側面に形成された上蓋の凹部が内側に傾斜していることを特徴とした請求項３に記載の飲料缶。
【請求項５】
前記一連の凹部は、前記飲料缶の周方向に５つ形成することによって、平面視桜の花びら状に形成したことを特徴とした請求項１乃至請求項４のいずれか一に記載の飲料缶。
【請求項６】
前記上蓋の表面には環状溝部を備え、
前記上蓋の凹部によって前記環状溝部を塞止したことを特徴とした請求項１乃至請求項５のいずれか一に記載の飲料缶。
【請求項７】
前記飲み口部の端部にリベットを介して回動自在のプルタブを備え、
前記プルタブの回動域の前記上蓋に穿設棒を突設し、
突設した前記穿設棒の周りの前記上蓋に空気穴に沿ったスコアを入れ、
前記リベットを支点として前記プルタブを回動させ、前記プルタブの側面で前記穿設棒を折ることによって前記スコアが破断され、前記上蓋に前記空気穴を開けることができることを特徴とした請求項１乃至請求項６のいずれか一に記載の飲料缶。
【請求項８】
前記飲み口部の端部にリベットを介して回動自在のプルタブを備え、
前記プルタブの下方には突起部を設け、
前記プルタブの回動域の前記上蓋の一部を薄肉化させた薄肉部とし、
前記リベットを支点として前記プルタブに設けた前記突起部を前記薄肉部まで回動させ、前記プルタブを押下することにより空気穴を開けることができることを特徴とした請求項１乃至請求項６のいずれか一に記載の飲料缶。
【請求項９】
前記突起部の形状は、半円形状、三角形状、四角形状、台形状のうちいずれか一とすることを特徴とした請求項７又は請求項８に記載の飲料缶。
【請求項１０】
前記プルタブの外端部と前記突起部の外端部との間に段差を設けたことを特徴とした請求項７乃至請求項９のいずれか一に記載の飲料缶。
【請求項１１】
前記プルタブの初期位置における前記上蓋には、前記突起部を収納できる収納部、又は、前記突起部の先端が当接できないような突出部を設けたことを特徴とした請求項７乃至請求項１０のいずれか一に記載の飲料缶。
【発明の詳細な説明】
【技術分野】
【０００１】
本発明は、飲料缶、より具体的には、軸方向にかけた一連の凹部が形成された飲料缶に関する。
【背景技術】
【０００２】
飲料が充填されている飲料缶は、缶胴が円筒状であることが多く、缶胴を把持する際、滑りやすくなることがある。また、缶胴に水滴が付着したような場合はさらに滑りやすくなるため、特に、缶蓋に設けられたプルタブを起こしたり、戻したりする等のプルタブを操作する際に力が入らないことがある。そこで、胴部を良好かつ確実に把持することが可能にする発明として、例えば、下記のような文献１が挙げられる。
【０００３】
文献１に係る発明は、筒状の缶胴の側壁に、底部が断面円弧状に形成された溝状の凹み部が周方向に設けられていることを特徴とする金属である缶を提供するものである。
【０００４】
また、飲料缶にはそそぎ口が一箇所であるため、飲料缶の中に空気が入る部分が限定されるので、中身がスムーズに出ない場合がある。そこで、缶に空気穴をつくることにより、中身をスムーズにそそぐことができ、泡を調整することができる発明として、例えば、下記のような文献２が挙げられる。
【０００５】
文献２に係る考案では、缶飲料等のつまみをａに押しつけることによりｂの外側の一部に空気穴（割れ目）を開けることができる缶である。従来そそぎ口をあけるためについているつまみを引く前につまみを缶のａの部分に押しつけることによりａが押され、ｂの部分の外側に割れ目（空気穴）ができるようにするものである。
【先行技術文献】
【特許文献】
【０００６】
【特許文献１】特開２００９−２９８４２８号公報
【特許文献２】実用新案登録第３０５７３５２号公報
【発明の概要】
【発明が解決しようとする課題】
【０００７】
文献１に係る缶体によれば、側壁に設けられた凹み部の底部が断面円弧状に形成されているので、この凹み部に指を掛けると自ずと最深部に指がはまり込んで上部壁が指止めとなる。このため、この凹み部を指掛かりとして利用することで缶が持ちやすくなり、開栓時のプルタブの引き起こしや飲み口用切込線の破断を容易に行うことができる。
【０００８】
しかし、文献１に係る発明は、側壁に設けられた凹み部の底部が断面円弧状に形成されているため、本発明のように、人差し指、中指、薬指、小指が一連の凹部の軸方向に沿って握ることができないため、しっかりと挟持することができない場合がある。
【０００９】
また、文献２に係る飲料缶によれば、従来の缶飲料等の缶製品のそそぎ口を開ける部分の反対の部分に切れ目をつくることにより、それを空気穴として缶飲料等の製品の中身をそそぎやすくするものである。
【００１０】
しかし、文献２に係る発明は、本発明のように、飲料缶に軸方向にかけた一連の凹部がされていないため、つまみを缶のａの部分に押しつけることにより空気穴（割れ目）を開ける際、滑りやすくなることがある。
【課題を解決するための手段】
【００１１】
そこで、本発明は、軸方向にかけた一連の凹部が形成された飲料缶を提供するものである。
【００１２】
請求項１の発明は、飲料物を飲む際の飲み口部を備えた上蓋で缶胴を封止した飲料缶であって、上蓋の外周側面から缶胴の外周側面の軸方向にかけた一連の凹部が少なくとも一以上形成されていることを特徴とした飲料缶である。
【００１３】
請求項２の発明は、飲料缶には、前記缶胴を封止する上蓋と一対の下蓋をさらに備え、一連の凹部は、下蓋の外周側面にかけても形成されていることを特徴とした請求項１に記載の飲料缶である。
【００１４】
請求項３の発明は、少なくとも一の一連の凹部は、飲み口部に対峙する位置に形成されていることを特徴とした請求項１又は請求項２に記載の飲料缶である。
【００１５】
請求項４の発明は、上蓋の外周側面に形成された上蓋の凹部が内側に傾斜していることを特徴とした請求項３に記載の飲料缶である。
【００１６】
請求項５の発明は、一連の凹部は、飲料缶の周方向に５つ形成することによって、平面視桜の花びら状に形成したことを特徴とした請求項１乃至請求項４のいずれか一に記載の飲料缶である。
【００１７】
請求項６の発明は、上蓋の表面には環状溝部を備え、上蓋の凹部によって環状溝部を塞止したことを特徴とした請求項１乃至請求項５のいずれか一に記載の飲料缶である。
【００１８】
請求項７の発明は、飲み口部の端部にリベットを介して回動自在のプルタブを備え、プルタブの回動域の上蓋に穿設棒を突設し、突設した穿設棒の周りの上蓋に空気穴に沿ったスコアを入れ、リベットを支点としてプルタブを回動させ、プルタブの側面で穿設棒を折ることによってスコアが破断され、上蓋に空気穴を開けることができることを特徴とした請求項１乃至請求項６のいずれか一に記載の飲料缶である。
【００１９】
請求項８の発明は、飲み口部の端部にリベットを介して回動自在のプルタブを備え、プルタブの下方には突起部を設け、プルタブの回動域の上蓋の一部を薄肉化させた薄肉部とし、リベットを支点としてプルタブに設けた突起部を薄肉部まで回動させ、プルタブを押下することにより空気穴を開けることができることを特徴とした請求項１乃至請求項６のいずれか一に記載の飲料缶である。
【００２０】
請求項９の発明は、突起部の形状は、半円形状、三角形状、四角形状、台形状のうちいずれか一とすることを特徴とした請求項７又は請求項８に記載の飲料缶である。
【００２１】
請求項１０の発明は、プルタブの外端部と突起部の外端部との間に段差を設けたことを特徴とした請求項７乃至請求項９のいずれか一に記載の飲料缶である。
【００２２】
請求項１１の発明は、プルタブの初期位置における上蓋には、突起部を収納できる収納部、又は、突起部の先端が当接できないような突出部を設けたことを特徴とした請求項７乃至請求項１０のいずれか一に記載の飲料缶である。
【発明の効果】
【００２４】
請求項１から請求項２の発明によれば、飲料缶に形成された一連の凹部により、飲料缶をしっかりと挟持することができる。
【００２５】
請求項３から請求項４の発明によれば、飲み口部に対峙する一連の凹部や、上蓋の凹部を傾斜させることにより飲料物を飲みやすくすることができる。
【００２６】
請求項５の発明によれば、飲料缶の見た目の華やかさをも醸し出すことができる。
【００２７】
請求項６の発明によれば、環状溝部上の埃や塵等を含んだ飲料水となることを回避することができる。
【００２８】
請求項７から請求項８の発明によれば、上蓋に空気穴を開けることにより、内容物である飲料をスムーズに出すことができる。
【００２９】
請求項９の発明によれば、プルタブに設けた突起部の選択肢の幅を広げることができる。
【００３０】
請求項１０の発明によれば、段差によりプルタブを引っ掛け易くなり、プルタブを引き起こしやすくすることができる。
【００３１】
請求項１１の発明によれば、プルタブに突起部を設けた場合であっても、プルタブを上缶に対して略水平に設置することができる。
【図面の簡単な説明】
【００３３】
【図１】各飲料缶の斜視図である。
【図２】飲料缶の平面図である。
【図３】飲み口部周辺が内側に傾斜した飲料缶の側面図である。
【図４】飲料缶を握った状態を図示した平面図である。
【図５】突起を設けたプルタブの側面図である。
【図６】各プルタブの正面図である。
【図７】空気穴を設けた飲料缶の平面図である。
【図８】プルタブを起こして飲み口を開口した状態の飲料缶の側面図である。
【図９】プルタブを回動させた状態を図示した平面図である。
【図１０】突起を設けた側のプルタブを押下して空気穴を開けた状態を図示した側面図である。
【図１１】上蓋に穿設棒を設けた飲料缶の平面図である。
【発明を実施するための形態】
【００３４】
本発明を実施するための形態を以下に示す。本発明は、少なくとも一以上の缶蓋（上蓋３、下蓋３０）で缶胴２０を封止した飲料物を充填する飲料水用の飲料缶１であって、缶蓋及び缶胴２０に一連の凹部５０を形成するものである。
【００３５】
具体的には、缶蓋（上蓋３）の外周側面から缶胴２０の外周側面等の軸方向にかけた一連の凹部５０が少なくとも一以上形成されている。すなわち、缶蓋の凹部（上蓋の凹部５、下蓋の凹部３５）及び缶胴の凹部２５で一連の凹部５０を形成する。なお、この飲料缶１は、主にアルミニウムや鉄等の素材で作られており、内容物である、コーヒー、紅茶、日本茶、ジュース、炭酸飲料、ビール、酎ハイ等の飲料が充填されることとなる。
【００３６】
図１は、本発明である各飲料缶１を図示した斜視図である。一般的に、飲料容器である飲料缶１としては、２ピース缶や３ピース缶が存在する。２ピース缶の構成としては、例えば、有底円筒状の缶胴２０と、この缶胴２０の開口側を封止する円盤状の缶蓋とから成る。３ピース缶の構成としては、例えば、一対の円盤状の缶蓋と、別部材である円筒状の缶胴２０とから成り、円筒状の缶胴２０の両開口側を一対の缶蓋で封止する。図１では、右の飲料缶１が２ピース缶、中央及び左の飲料缶１が３ピース缶である。
【００３７】
本実施形態において、２ピース缶の場合にあっては、飲み口部１９を備えた缶蓋を上蓋３と称呼し、３ピース缶の場合にあっては、飲み口部１９を備えた缶蓋を上蓋３、上蓋３と一対で、上蓋３と反対側の底側の缶蓋を下蓋３０と称呼する。
【００３８】
飲料缶１には軸方向に一連の凹部５０が形成されている。２ピース缶の場合、飲料缶１の上蓋３から缶胴２０の下方にかけて軸方向に一連の凹部５０が形成される。すなわち、上蓋３の外周側面から缶胴２０の外周側面の下方にかけて一筋の凹部が形成されている。この場合、上蓋の凹部５から缶胴の凹部２５にかけて一連の凹部５０が形成されている。なお、２ピース缶にあっては、缶胴２０の上方の絞部２３に凹部を設ける構成であっても、図１の右の飲料缶１のように絞部２３に凹部を設けない構成であってもよい。
【００３９】
３ピース缶の場合、飲料缶１の上蓋３から缶胴２０にかけて軸方向に一連の凹部５０が形成される。すなわち、上蓋３の外周側面から缶胴２０の外周側面にかけて一筋の凹部が形成されている。この場合、上蓋の凹部５から缶胴の凹部２５にかけて一連の凹部５０が形成されている。また、図１左の飲料缶１のように下蓋３０の外周側面にも下蓋の凹部３５を形成する構成も考えられ、この構成の場合は、上蓋の凹部５、缶胴の凹部２５、下蓋の凹部３５にかけて一連の凹部５０が形成されている。
【００４０】
なお、図１中央の飲料缶１のように下蓋３０の外周側面に下蓋の凹部３５を形成しない構成の場合は、飲料缶１の上蓋３から缶胴２０、すなわち、上蓋の凹部５から缶胴の凹部２５にかけてのみ一連の凹部５０が形成されていることとなるが、このような構成とすることによって、下蓋３０は円形状であるため、飲料缶１を安定して置くことができる。
【００４１】
一連の凹部５０の数や位置は問わない。数に関しては、少なくとも一の一連の凹部５０は、飲み口部１９に対峙する位置に形成する。換言すると、缶胴の凹部２５に連なる上蓋の凹部５と飲み口部１９が対峙する。缶胴の凹部２５の軸方向の長さは問わない。上蓋３側から下蓋３０側まででも、缶胴２０の中腹程度までであってもよい。
【００４２】
その他、複数の一連の凹部５０を形成する構成が考えられる。その一例として、例えば、飲料缶１の周方向に第一凹部５１、第二凹部５２、第三凹部５３、第四凹部５４、第五凹部５５の５つの一連の凹部５０を形成するものが考えられる。このように５つの一連の凹部５０を形成する場合、各一連の凹部５０の隣に連なる一連の凸部６０が花びらをイメージすることができ、平面視すると桜の花びらのような形状となり、見た目の華やかさを醸し出すことができる（図２参照）。
【００４３】
ここで、一連の凸部６０は、２ピース缶、３ピース缶の場合は、上蓋の凸部６１及び缶胴の凸部６２、３ピース缶の場合は、上蓋の凸部６１乃至下蓋の凸部６３で形成されている。なお、図示しないが、桜の花びらをより強くイメージさせるため、一連の凸部６０のうち、各上蓋の凸部６１に切欠きを入れてもよい。
【００４４】
図２等で図示したように、一連の凹部５０を５つの形成する場合は、例えば、上蓋３の飲み口部１９と対峙する一連の凹部５０を第一凹部５１とし、この第一凹部５１を基準として時計回りに第二凹部５２、第三凹部５３、第四凹部５４、第五凹部５５とする。なお、この第一凹部５１から第五凹部５５間のピッチは等間隔に限らず、不等間隔であってもよい。
【００４５】
また、第一凹部５１のうち、上蓋３の外周側面の上蓋の凹部５は、内側（飲み口部１９側）に傾斜する構成であってもよい（図３参照）。また、上蓋の凹部５に限らず、これに連なる缶胴の凹部２５の一部（上蓋３側）においても傾斜してもよい。傾斜角度は、飲み易く、また、注ぎ易ければどのような角度であってもよい。
【００４６】
上蓋３自体が傾斜する構成であってもよい。具体的には、飲み口部１９側の反対側から飲み口部１９側に掛けて上蓋３が傾斜する。上蓋３を傾斜させることにより、例えば、飲料水をコップ等の他の容器に注ぐ際、飲み口部１９近傍の飲料缶１内で空気がぶつかり合うことが少なくなり、飲料水が飛び散ることが少なくなる。また、空気穴９を開けた場合においては、さらに相乗効果で飲料水がよりスムーズに出ることとなる。
【００４７】
このように、一連の凹部５０を形成することによって、飲料缶１自体をしっかりと把持することができる。また、一連の凹部５０及び一連の凸部６０によって、飲料缶１自体が転がり難くなる。さらには、複数の飲料缶１を横積みする場合であっても、転げ落ちることが少なくなる。なお、一連の凹部５０の形成は、従来公知の方法が適用できる。
【００４８】
図２や図７等で図示したように、飲料缶１の内容物が出る箇所、すなわち、飲料物を飲む際の飲み口部１９の開口構造に関しては、周知のプルトップ構造、主にイージーオープンエンド構造を用いる。すなわち、上蓋３の飲み口部１９の端部にリベット１７を介してプルタブ１０を備え、そして、飲み口部１９の外縁に沿ってスコア１９ａ（切込み）が入れられ、リベット１７を支点としてスコア１９ａに取り付けられたプルタブ１０を引き起こすとスコア９ａに徐々に切り込みが入り、最終的に破断して飲み口部１９が開口する（図８参照）。したがって、２ピース缶、３ピース缶共にプルタブ１０を引き起こすことによって上蓋３の飲み口部１９が開口され、充填されている内容物である飲料を飲み口部１９から直接又はコップ等に移し替えて飲むことができる。
【００４９】
なお、この飲み口部１９の大きさ、形状、スコア１９ａの深さは任意に選択することができ、本発明の効果を奏することができればどのような大きさ、形状、深さであってもよい。また、同様にプルタブ１０の形状、大きさ等に関しても任意に選択することができる。
【００５０】
その他の構成としては、一連の凹部５０のうち、例えば、飲み口部１９に対峙する第一凹部５１の缶胴の凹部２５に突部を設ける構成も考えられる（不図示）。この突部の大きさ、数、複数個設けた場合の突部間の間隔等は問わない。また、突部を設ける位置も缶胴の凹部２５であればどこでもよい。
【００５１】
このような構成によれば、例えば、目の不自由な人が指等で突部に触れることによって飲み口部１９の位置を確認することができる。その他、実際に目で飲み口部１９の位置を確認しなくても、また、暗闇の中でも飲み口部１９の位置を確認することができる。
【００５２】
また、回動自在のプルタブ１０で上蓋３に空気穴９を開けることができる。すなわち、上蓋３の飲み口部１９の端部にリベット１７を介してプルタブ１０を回動自在に備えることにより、リベット１７を軸としてプルタブ１０を回動させることができる（図９参照）。換言すると、スコア１９ａが入った飲み口部１９とプルタブ１０とは、一部においてリベット１７を介して結合し、プルタブ１０を回動させることができる。そして、プルタブ１０を回動することができるエリアを回動域４５とし、回動域４５に空気穴９を設け、プルタブ１０で上蓋３に空気穴９を開けることができる（図１０、図１１等参照）。以下、空気穴９を開ける構造について説明する。
【００５３】
図１１で図示したように、上蓋３に設けた穿設棒６を折断することによって空気穴９を開ける構成が考えられる。具体的には、例えば次のような構成による。プルタブ１０の回動域４５の上蓋３に穿設棒６を突出して設ける。また、突設した穿設棒６の周りの上蓋３に空気穴９に沿ったスコア９ａを入れる。そして、リベット１７を支点としてプルタブ１０を回動させるとプルタブ１０の側面１０ｂが穿設棒６の腹部６ａに当たり、さらにプルタブ１０を回動させると穿設棒６が倒れるにつれてスコア９ａに徐々に切り込みが入る。すなわち、穿設棒６を倒すとこれに連動してスコア９ａの一箇所に亀裂が入り、亀裂から徐々に切り込みが周方向に入り、最終的に破断して空気穴９が開く。このようにして、プルタブ１０の側面１０ｂで突出した穿設棒６を折ることによって上蓋３に空気穴９を開けることができる。
【００５４】
なお、開口（破断）前の空気穴９の上に穿設棒６が突出しているが、この穿設棒６の底面はスコア９ａよりも小径であっても略同径であってもよい。穿設棒６は、先端が一部欠損した略円錐状の他、ストレート形状、先端側に向かうにつれて徐々に窄むような形状等、どのような形状であってもよい。先端側に向かうにつれて徐々に窄むような形状の場合は、穿設棒６の腹部６ａが傾斜しているため、穿設棒６を折断し易くなる場合がある。
【００５５】
空気穴９の外縁に沿ったスコア９ａは、飲み口部１９に沿って入れられたスコア１９ａと同じく、空気穴９を開口し易くするための構造であり、空気穴９を開口し易くなればどのような構造であってもよい。また、空気穴９を開ける穿設棒６の位置は、上蓋３のプルタブ１０の回動域４５上であればどの位置であってもよい。例えば、第三凹部５３、第四凹部５４と対峙する位置に空気穴９を設けることができる。
【００５６】
また、空気穴９を開ける穿設棒６を備える構成の他、上蓋３の空気穴９を開ける箇所を他の箇所よりも薄く、すなわち、プルタブ１０の回動域４５の上蓋３の一部を薄肉化させた薄肉部８とし、プルタブ１０に設けた突起部１３が三角形の角のような鋭利な構造とし、この角によって薄くした部分である薄肉部８を突き刺すことにより空気穴９を開ける構造であってもよい。
【００５７】
具体的には、突起部１３を設けたプルタブ１０を空気穴９を開ける位置まで回動させ、プルタブ１０を押下することによりスコア９ａを破断させ空気穴９を開けることができる（図１０参照）。すなわち、プルタブ１０を押下すると突起部１３によって薄肉部８に徐々に切り込みが入り、最終的に破断して空気穴９が開く。
【００５８】
なお、上蓋３の空気穴９を開ける位置は、上蓋３のプルタブ１０の回動域４５上であればどの位置であってもよい。例えば、第三凹部５３、第四凹部５４と対峙する位置に空気穴９を設けることができる。また、薄肉部８の薄さについても問わない。
【００５９】
プルタブ１０の回動域４５上に空気穴９を開ける構成の場合、プルタブ１０の外端部１３ａ側下方には、空気穴９開設用の突起部１３を設けるが、この突起部１３の形状としては、様々な形状が考えられる。例えば、図６（ａ）の正面視半円形状、図６（ｂ）の三角形状、図６（ｃ）の台形状、図６（ｄ）の四角形状のうちいずれか一とすることができる。空気穴９を開けることができればどのような形状であってもよい。
【００６０】
図５で図示したように、プルタブ１０の外端部１０ａと突起部１３の外端部１３ａとの間に段差を設ける構成も考えられる。この段差に関しては、プルタブ１０を起こし易くするためのものであるため、プルタブ１０を起こし易ければよく、例えば、１ミリ、又は、２ミリ以上であってもよい。
【００６１】
飲料缶１の出荷時や販売時のプルタブ１０の位置、すなわち、図２や図７等で図示するプルタブ１０の位置を初期位置とし、このプルタブ１０の初期位置における上蓋３には、突起部１３を収納できる収納部７（図９参照）、又は、突起部１３の外端部１３ａが当接できないような突出部（不図示）を設ける構成も考えられる。
【００６２】
その他、空気穴９の開口に関しては、飲み口部１９の開口と同様のプルトップ構造を採用することもできる（不図示）。すなわち、空気穴９の端部にリベットを介して空気穴９開口用のプルタブを備え、そして、空気穴９の外縁に沿ってスコア（切込み）が入れられ、リベットを支点としてスコアに取り付けられた空気穴９開口用のプルタブを引き起こすとスコアに徐々に切り込みが入り、最終的に破断して空気穴９が開口する構造である。
【００６３】
この空気穴９が開くことにより、飲料を注ぐ際に空気穴９から空気が入り、これにより内容物である飲料がスムーズに飲料缶１から出て、特にビール、発泡酒等の飲料の場合、空気穴９からの空気によりグラス等に注いだ際も適度な泡の量となり、味や見た目が良くなる。
【００６４】
また、スチール缶、アルミ缶等の飲料缶は、リサイクル資源となり再利用されているが、回収の際には地域毎に決まりがあり、回収箱に入れる前に飲料缶１を軽く水で洗う等のルールが定められていることがある。このような場合、空気穴９があることにより、飲み口部１９から水が早く流れるため、飲料缶１を水で洗う際の時間を節約することができる。
【００６５】
なお、この空気穴９の大きさ、形状、スコアの深さ、上蓋３の空気穴９を開ける箇所の薄さ等は任意に選択することができ、本発明の効果を奏することができればどのような大きさ、形状、深さであってもよい。例えば、空気穴の形状に関しては、図７等のように円形の他、楕円形等、どのような形状であってもよい。
【００６６】
プルタブ１０自体は３６０度回動することができるが、上蓋３のプルタブ１０の回動域４５としては、望ましくは、１８０度（初期位置を基点として左右に９０度）の範囲内、さらに望ましくは、９０度（初期位置を基点として左右に４５度）の領域内とする（図９参照）。
【００６７】
プルタブ１０を回動させるときであっても、第三凹部５３や、第四凹部５４に指をホールドさせることにより確実に空気穴９を開けることができる。すなわち、右手で飲料缶１を握って左手で空気穴９の開口作業を行うとした場合、右手の人差し指、中指、薬指が第三凹部５３を挟持することによってしっかりと飲料缶１を握ることができる（図４参照）。また、同様に左手で飲料缶１を握って右手で空気穴９の開口作業を行うとした場合、左手の人差し指、中指、薬指が第三凹部５３を挟持することによってしっかりと飲料缶１を握ることができる。
【００６８】
飲料缶１によっては、上蓋３の表面に環状溝部４が形成されている場合があるが、飲料缶１の充填物である飲料を一端飲み終わった後や飲料を注いだ後に環状溝部４に飲料が残ることがある。そして、飲料缶１を動かすと環状溝部４に残った微量の飲料が周方向へ回動することとなるが、環状溝部４に埃や塵等が溜っているような場合は、環状溝部４に残った微量の飲料が周方向へ回動することにより埃や塵等を含んだ飲料となり、再度飲む場合は埃や塵等を含んだ飲料を飲むこととなる。
【００６９】
このような不衛生な状況を回避するために、この環状溝部４を上蓋の凹部５で塞止する構成も考えられる。具体的な構成としては、第二凹部５２及び第五凹部５５を内側（飲み口部１９側）に傾斜させることによって、第二凹部５２及び第五凹部５５に位置する環状溝部４を上蓋３の外周側面の上蓋の凹部５で塞止し、埃や塵等を含んだ飲料が周方向へ回動することを回避することができる。
【００７０】
その他、図示しないが、飲料物を飲む際の飲み口部をネジ式キャップで封止する飲料缶１に一連の凹部５０を形成する例も考えられる。ここでいう飲料缶１は、一般的にはボトル缶と呼ばれる金属製、アルミ製のボトル状の容器であり、キャップ及び缶胴の２つのパーツが組み合わされて構成された２ピース型と、キャップ、缶胴、下蓋の３つのパーツが組み合わされて構成された３ピース型がある。
【００７１】
缶胴は、本体部と、これに連なる首部で構成される。首部にはネジ溝が穿設され、キャップの内側にもネジ溝が穿設されている。なお、本体部の胴径よりも首部の口径のほうが小さい。
【００７２】
そして、缶胴の外周側面の軸方向にかけた一連の凹部５０が少なくとも一以上形成されている。なお、その他の共通する部分に関しては、記述した実施例と同様の構成とする。
【００７３】
以上、各実施例に基づき本発明を説明したが、本発明は上記実施例に限定されるものではなく、本発明の趣旨を逸脱しない範囲で、変更を加えてもよいし、各実施例に記載の技術、又は、その他の公知や周知の技術を組み合わせるようにしてもよい。
【００７４】
＜符号の説明＞
１：飲料缶
３：上蓋
４：環状溝部
５：上蓋の凹部
６：穿設棒
６ａ：腹部
７：収納部
９：空気穴
８：薄肉部
９ａ：スコア
１０：プルタブ
１０ａ：外端部
１０ｂ：側面
１３：突起部
１３ａ：外端部
１７：リベット
１９：飲み口部
１９ａ：スコア
２０：缶胴
２３：絞部
２５：缶胴の凹部
３０：下蓋
３５：下蓋の凹部
４５：回動域
５０：一連の凹部
５１：第一凹部
５２：第二凹部
５３：第三凹部
５４：第四凹部
５５：第五凹部
６０：一連の凸部
６１：上蓋の凸部
６２：缶胴の凸部
６３：下蓋の凸部
【要約】
【課題】  飲料が充填されている飲料缶は、缶胴が円筒状であることが多く、缶胴を把持する際、滑りやすくなることがある。また、缶胴に水滴が付着したような場合はさらに滑りやすくなるため、特に、缶蓋に設けられたプルタブを起こしたり、戻したりする等のプルタブを操作する際に力が入らないことがある。
【解決手段】  飲料物を飲む際の飲み口部を備えた上蓋で缶胴を封止した飲料缶であって、上蓋の外周側面から缶胴の外周側面の軸方向にかけた一連の凹部が少なくとも一以上形成されていることを特徴とした飲料缶である。
【選択図】  図１【図１】
0006611070.tif 000002
【図２】
0006611070.tif 000003
【図３】
0006611070.tif 000004
【図４】
0006611070.tif 000005
【図５】
0006611070.tif 000006
【図６】
0006611070.tif 000007
【図７】
0006611070.tif 000008
【図８】
0006611070.tif 000009
【図９】
0006611070.tif 000010
【図１０】
0006611070.tif 000011
【図１１】
0006611070.tif 000012